【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
基地局装置と移動局装置とが複数セルを介して通信を行なう無線通信システムであって、
前記複数セルは、前記移動局装置からの送信タイミングが同一であるセル毎に複数の送信タイミンググループにグループ化されており、
前記基地局装置は、送信タイミング情報と当該送信タイミング情報を適用する送信タイミンググループ情報とを含む送信タイミングメッセージを前記移動局装置に送信し、
前記移動局装置は、前記送信タイミングメッセージを受信した場合、前記送信タイミンググループ情報で示された送信タイミンググループの送信タイミングとして、前記送信タイミング情報を適用することを特徴とする無線通信システム。
【請求項２】
前記移動局装置は、前記送信タイミンググループ情報で示された送信タイミンググループ内のアクティベートセルに対して、前記送信タイミング情報を適用することを特徴とする請求項１記載の無線通信システム。
【請求項３】
移動局装置と複数セルを介して通信を行なう無線部と、基地局管理部とを備える基地局装置であって、
前記複数セルは、前記移動局装置からの送信タイミングが同一であるセル毎に複数の送信タイミンググループにグループ化されており、
前記基地局管理部は、送信タイミング情報と当該送信タイミング情報を適用する送信タイミンググループ情報とを含む送信タイミングメッセージを作成し、
前記無線部は、前記送信タイミングメッセージを前記移動局装置に送信することを特徴とする基地局装置。
【請求項４】
前記複数の送信タイミンググループは、常にアクティベートセルの１つのプライマリーセルを含む送信タイミンググループを含むことを特徴とする請求項３記載の基地局装置。
【請求項５】
基地局装置と複数セルを介して通信を行なう無線部と、移動局管理部とを備える移動局装置であって、
前記複数セルは、前記移動局装置からの送信タイミングが同一であるセル毎に複数の送信タイミンググループにグループ化されており、
前記無線部は、前記基地局装置から、送信タイミング情報と当該送信タイミング情報を適用する送信タイミンググループ情報とを含む送信タイミングメッセージを受信し、
前記移動局管理部は、前記送信タイミンググループ情報で示された送信タイミンググループの送信タイミングとして、前記送信タイミング情報を適用することを特徴とする移動局装置。
【請求項６】
前記移動局管理部は、前記送信タイミンググループ情報で示された送信タイミンググループ内のアクティベートセルに対して、前記送信タイミング情報を適用することを特徴とする請求項５記載の移動局装置。
【請求項７】
基地局装置と移動局装置とが複数セルを介して通信を行なう無線通信システムに適用される無線通信方法であって、
前記複数セルは、前記移動局装置からの送信タイミングが同一であるセル毎に複数の送信タイミンググループにグループ化されており、
前記基地局装置は、送信タイミング情報と当該送信タイミング情報を適用する送信タイミンググループ情報とを含む送信タイミングメッセージを前記移動局装置に送信し、
前記移動局装置は、前記送信タイミングメッセージを受信した場合、前記送信タイミンググループ情報で示された送信タイミンググループの送信タイミングとして、前記送信タイミング情報を適用することを特徴とする無線通信方法。
【請求項８】
移動局装置と複数セルを介して通信を行なう基地局装置に適用される無線通信方法であって、
前記複数セルは、前記移動局装置からの送信タイミングが同一であるセル毎に複数の送信タイミンググループにグループ化されており、
送信タイミング情報と当該送信タイミング情報を適用する送信タイミンググループ情報とを含む送信タイミングメッセージを作成し、
前記送信タイミングメッセージを前記移動局装置に送信することを特徴とする無線通信方法。
【請求項９】
基地局装置と複数セルを介して通信を行なう移動局装置に適用される無線通信方法であって、
前記複数セルは、前記移動局装置からの送信タイミングが同一であるセル毎に複数の送信タイミンググループにグループ化されており、
前記基地局装置から、送信タイミング情報と当該送信タイミング情報を適用する送信タイミンググループ情報とを含む送信タイミングメッセージを受信し、
前記送信タイミンググループ情報で示された送信タイミンググループの送信タイミングとして、前記送信タイミング情報を適用することを特徴とする無線通信方法。
【請求項１０】
移動局装置と複数セルを介して通信を行なう基地局装置に適用される集積回路であって、
前記複数セルは、前記移動局装置からの送信タイミングが同一であるセル毎に複数の送信タイミンググループにグループ化されており、
送信タイミング情報と当該送信タイミング情報を適用する送信タイミンググループ情報とを含む送信タイミングメッセージを作成する機能と、
前記送信タイミングメッセージを前記移動局装置に送信する機能と、を有することを特徴とする集積回路。
【請求項１１】
基地局装置と複数セルを介して通信を行なう移動局装置に適用される集積回路であって、
前記複数セルは、前記移動局装置からの送信タイミングが同一であるセル毎に複数の送信タイミンググループにグループ化されており、
前記基地局装置から、送信タイミング情報と当該送信タイミング情報を適用する送信タイミンググループ情報とを含む送信タイミングメッセージを受信する機能と、
前記送信タイミンググループ情報で示された送信タイミンググループの送信タイミングとして、前記送信タイミング情報を適用する機能と、を有することを特徴とする集積回路。
【手続補正２】
【補正対象書類名】明細書
【補正対象項目名】００１０
【補正方法】変更
【補正の内容】
【００１０】
（１）上記の目的を達成するために、本発明は、以下のような手段を講じた。すなわち、本発明の無線通信システムは、基地局装置と移動局装置とが複数セルを介して通信を行なう無線通信システムであって、前記複数セルは、前記移動局装置からの送信タイミングが同一であるセル毎に複数の送信タイミンググループにグループ化されており、前記基地局装置は、送信タイミング情報と当該送信タイミング情報を適用する送信タイミンググループ情報とを含む送信タイミングメッセージを前記移動局装置に送信し、前記移動局装置は、前記送信タイミングメッセージを受信した場合、前記送信タイミンググループ情報で示された送信タイミンググループの送信タイミングとして、前記送信タイミング情報を適用することを特徴とする。
（２）また、本発明の無線通信システムは、前記移動局装置は、前記送信タイミンググループ情報で示された送信タイミンググループ内のアクティベートセルに対して、前記送信タイミング情報を適用することを特徴とする。
【手続補正３】
【補正対象書類名】明細書
【補正対象項目名】００１１
【補正方法】変更
【補正の内容】
【００１１】
（３）また、本発明の基地局装置は、移動局装置と複数セルを介して通信を行なう無線部と、基地局管理部とを備える基地局装置であって、前記複数セルは、前記移動局装置からの送信タイミングが同一であるセル毎に複数の送信タイミンググループにグループ化されており、前記基地局管理部は、送信タイミング情報と当該送信タイミング情報を適用する送信タイミンググループ情報とを含む送信タイミングメッセージを作成し、前記無線部は、前記送信タイミングメッセージを前記移動局装置に送信することを特徴とする。
（４）また、本発明の基地局装置は、前記複数の送信タイミンググループは、常にアクティベートセルの１つのプライマリーセルを含む送信タイミンググループを含むことを特徴とする。
【手続補正４】
【補正対象書類名】明細書
【補正対象項目名】００１２
【補正方法】変更
【補正の内容】
【００１２】
（５）また、本発明の移動局装置は、基地局装置と複数セルを介して通信を行なう無線部と、移動局管理部とを備える移動局装置であって、前記複数セルは、前記移動局装置からの送信タイミングが同一であるセル毎に複数の送信タイミンググループにグループ化されており、前記無線部は、前記基地局装置から、送信タイミング情報と当該送信タイミング情報を適用する送信タイミンググループ情報とを含む送信タイミングメッセージを受信し、前記移動局管理部は、前記送信タイミンググループ情報で示された送信タイミンググループの送信タイミングとして、前記送信タイミング情報を適用することを特徴とする。
（６）また、本発明の移動局装置は、前記移動局管理部は、前記送信タイミンググループ情報で示された送信タイミンググループ内のアクティベートセルに対して、前記送信タイミング情報を適用することを特徴とする。
【手続補正５】
【補正対象書類名】明細書
【補正対象項目名】００１３
【補正方法】変更
【補正の内容】
【００１３】
（７）また、本発明の無線通信方法は、基地局装置と移動局装置とが複数セルを介して通信を行なう無線通信システムに適用される無線通信方法であって、前記複数セルは、前記移動局装置からの送信タイミングが同一であるセル毎に複数の送信タイミンググループにグループ化されており、前記基地局装置は、送信タイミング情報と当該送信タイミング情報を適用する送信タイミンググループ情報とを含む送信タイミングメッセージを前記移動局装置に送信し、前記移動局装置は、前記送信タイミングメッセージを受信した場合、前記送信タイミンググループ情報で示された送信タイミンググループの送信タイミングとして、前記送信タイミング情報を適用することを特徴とする。
【手続補正６】
【補正対象書類名】明細書
【補正対象項目名】００１４
【補正方法】変更
【補正の内容】
【００１４】
（８）また、本発明の無線通信方法は、移動局装置と複数セルを介して通信を行なう基地局装置に適用される無線通信方法であって、前記複数セルは、前記移動局装置からの送信タイミングが同一であるセル毎に複数の送信タイミンググループにグループ化されており、送信タイミング情報と当該送信タイミング情報を適用する送信タイミンググループ情報とを含む送信タイミングメッセージを作成し、前記送信タイミングメッセージを前記移動局装置に送信することを特徴とする。
【手続補正７】
【補正対象書類名】明細書
【補正対象項目名】００１５
【補正方法】変更
【補正の内容】
【００１５】
（９）また、本発明の無線通信方法は、基地局装置と複数セルを介して通信を行なう移動局装置に適用される無線通信方法であって、前記複数セルは、前記移動局装置からの送信タイミングが同一であるセル毎に複数の送信タイミンググループにグループ化されており、前記基地局装置から、送信タイミング情報と当該送信タイミング情報を適用する送信タイミンググループ情報とを含む送信タイミングメッセージを受信し、前記送信タイミンググループ情報で示された送信タイミンググループの送信タイミングとして、前記送信タイミング情報を適用することを特徴とする。
【手続補正８】
【補正対象書類名】明細書
【補正対象項目名】００１６
【補正方法】変更
【補正の内容】
【００１６】
（１０）また、本発明の集積回路は、移動局装置と複数セルを介して通信を行なう基地局装置に適用される集積回路であって、前記複数セルは、前記移動局装置からの送信タイミングが同一であるセル毎に複数の送信タイミンググループにグループ化されており、送信タイミング情報と当該送信タイミング情報を適用する送信タイミンググループ情報とを含む送信タイミングメッセージを作成する機能と、前記送信タイミングメッセージを前記移動局装置に送信する機能と、を有することを特徴とする。
【手続補正９】
【補正対象書類名】明細書
【補正対象項目名】００１７
【補正方法】変更
【補正の内容】
【００１７】
（１１）また、本発明の集積回路は、基地局装置と複数セルを介して通信を行なう移動局装置に適用される集積回路であって、前記複数セルは、前記移動局装置からの送信タイミングが同一であるセル毎に複数の送信タイミンググループにグループ化されており、前記基地局装置から、送信タイミング情報と当該送信タイミング情報を適用する送信タイミンググループ情報とを含む送信タイミングメッセージを受信する機能と、前記送信タイミンググループ情報で示された送信タイミンググループの送信タイミングとして、前記送信タイミング情報を適用する機能と、を有することを特徴とする。